(57)【特許請求の範囲】
【請求項１】
遊技機が設置されるとともに、遊技媒体を貯留することが可能な遊技媒体貯留部が下部に設けられ、該遊技媒体貯留部に貯留された遊技媒体が揚送装置により上方に揚送されるように構成されている遊技島台であって、
前記遊技媒体貯留部は、底面が前記揚送装置側に向かって下方に傾斜するように形成されており、また、内部には、前記底面との間に遊技媒体が通過可能な間隙を形成するように設けられた仕切部材により複数の貯留領域が形成されており、さらに、誘導樋が、前記複数の貯留領域それぞれに対応して設けられ、遊技媒体が前記複数の貯留領域それぞれに導かれるようになっており、遊技媒体が所定の貯留領域に貯留出来なくなった場合、他の貯留領域に貯留されるように構成されていることを特徴とする遊技島台。
【請求項２】
前記誘導樋が遊技島台に設けられる遊技媒体計数装置に連設されており、前記遊技媒体貯留部には前記遊技媒体計数装置により計数された遊技媒体が流入されるように構成されている請求項１に記載の遊技島台。
【請求項３】
前記誘導樋は、遊技媒体が前記遊技媒体貯留部における上流側の貯留領域から優先して貯留されるように構成されている請求項１または２に記載の遊技島台。
【請求項４】
前記誘導樋は、前記各貯留領域における上流側から下流側に向けて延びるように設けられているとともに、該誘導樋には、前記各貯留領域に遊技媒体を流出させるための流出部が複数設けられており、遊技媒体を前記各貯留領域における下流側から優先して貯留させる構造となっている請求項１〜３のいずれかに記載の遊技島台。
【請求項５】
前記誘導樋が、少なくとも底板と、該底板の両端に連設される側板とから構成されており、前記流出部が、前記底板と前記側板とにそれぞれ設けられている請求項４に記載の遊技島台。
【請求項６】
前記仕切部材は、下方に向かって前記揚送装置側に傾斜するように設けられている請求項１〜５のいずれかに記載の遊技島台。
【請求項７】
前記仕切部材の下端に、前記揚送装置側に向かって傾斜するテーパ面が形成されている請求項１〜６のいずれかに記載の遊技島台。
【請求項８】
前記遊技機から排出される遊技媒体を前記遊技媒体計数装置により計数された遊技媒体よりも優先して前記揚送装置に導く誘導樋が設けられている請求項２〜７のいずれかに記載の遊技島台。
【請求項９】
前記複数の貯留領域のうち、遊技媒体が最後に貯留される貯留領域に遊技媒体を検出する遊技媒体検出手段が複数設けられているとともに、前記複数の遊技媒体検出手段のうち少なくとも１つの遊技媒体検出手段が遊技媒体を検出した場合は前記遊技媒体計数装置への遊技媒体の流入を不可とし、また、前記複数の遊技媒体検出手段のいずれも遊技媒体を検出しない場合は前記遊技媒体計数装置への遊技媒体の流入を可能とする制御部が設けられている請求項２〜８のいずれかに記載の遊技島台。
【請求項１０】
前記遊技媒体が最後に貯留される貯留領域を、前記遊技媒体計数装置から最も離れた位置にある貯留領域とした請求項９に記載の遊技島台。
【発明の詳細な説明】
【０００１】
【発明の属する技術分野】
本発明は、主に遊技機としてのパチンコ機等が設置されるパチンコ島台に係わり、特にパチンコ機の下部にパチンコ玉を貯留する貯留部が設けられた遊技島台に関する。
【０００２】
【従来の技術】
従来、遊技機としてのパチンコ機が設置されるパチンコ島台にあっては、設置された複数のパチンコ機より排出されるアウト玉等を貯留しておくことが出来る下部タンクがパチンコ島台の下部に配設されており、この下部タンク内に貯留されたパチンコ玉は、同じくパチンコ島台内に配設される揚送装置を介して上部タンクに揚送され、さらにこの上部タンクに貯留されたパチンコ玉が本流樋を介して各パチンコ機や周辺機器等に供給されるようになっている。
【０００３】
このようなパチンコ島台において、特に遊技者が獲得したパチンコを計数するための玉計数装置が近傍に配設されているパチンコ島台等にあっては、玉計数装置により計数されたパチンコ玉が玉計数装置より延設される誘導樋を介して前記下部タンクに貯留されるようになっているが、玉計数装置から大量のパチンコ玉が短期間に流入される場合等においては下部タンクがすぐに満杯になり、玉計数装置からパチンコ玉を受付け出来ない状況となって遊技者が利用出来なくなることが頻繁に起こり得るため、大型の下部タンクを使用することが多い。
【０００４】
ところが、下部タンクの底面が揚送装置側に向かって下方に傾斜するように形成され、タンク内に貯留される全てのパチンコ玉が自然流下により揚送装置に流入されるようになっている場合、下部タンクにおける端部側の遊技媒体の貯留量が少なくなるという問題を有していた。
【０００５】
そこで、例えば図１１に示されるパチンコ島台０１のように、玉計数装置０２が配設されている側のパチンコ島台端部から中央の揚送装置０５までの間に２つの下部タンク０３、０４をそれぞれ設け、玉計数装置０２から流入される全てのパチンコ玉を誘導樋０６を介して下部タンク０３に貯留するようにし、この下部タンク０３に貯留されたパチンコ玉を該下部タンク０３の下部に設けられる小型の揚送装置０７によって揚送装置０５側の下部タンク０４に適宜供給出来るようにしたものがある。
【０００６】
【発明が解決しようとする課題】
しかしながら、前述のようなパチンコ島台にあっては、下部タンク０３に貯留されたパチンコ玉を小型の揚送装置０７を介して下部タンク０４に供給するため、下部タンク０３の底面を低位置に設けて貯留量を増加させることが出来るが、モータ等を用いてパチンコ玉を下部タンク０４に揚送するため、製造コスト等が嵩むばかりか揚送装置０７のメンテナンス等が必要になるといった問題があった。
【０００７】
また、下部タンク０３の貯留量を増加させるために下部タンク０３の長さをパチンコ島台０１の長手方向に向けて長寸にすると、図１１に示されるように下部タンク０３内に誘導樋０６から排出されるパチンコ玉が偏って貯留されてしまうことがあるため、下部タンク０３内にパチンコ玉を効率よく貯留出来ないことがあった。
【０００８】
本発明は、このような問題点に着目してなされたもので、高価な装置等を用いることなく遊技媒体を効率よく貯留出来るとともに、揚送装置に流出させることが出来る遊技媒体貯留部を備える遊技島台を提供することを目的とする。
【０００９】
【課題を解決するための手段】
上記課題を解決するために、本発明の遊技島台は、遊技機が設置されるとともに、遊技媒体を貯留することが可能な遊技媒体貯留部が下部に設けられ、該遊技媒体貯留部に貯留された遊技媒体が揚送装置により上方に揚送されるように構成されている遊技島台であって、前記遊技媒体貯留部は、底面が前記揚送装置側に向かって下方に傾斜するように形成されており、また、内部には、前記底面との間に遊技媒体が通過可能な間隙を形成するように設けられた仕切部材により複数の貯留領域が形成されており、さらに、誘導樋が、前記複数の貯留領域それぞれに対応して設けられ、遊技媒体が前記複数の貯留領域それぞれに導かれるようになっており、遊技媒体が所定の貯留領域に貯留出来なくなった場合、他の貯留領域に貯留されるように構成されていることを特徴としている。
この特徴によれば、遊技媒体は遊技媒体貯留部内に形成される複数の貯留領域に順次貯留されていくため、遊技媒体貯留部内の長手方向にわたって遊技媒体が偏って貯留されることがないので、効率よく貯留することが出来るとともに、各貯留領域に貯留された遊技媒体は間隙を介して自然流下によって揚送装置に流出されるため、高価な装置等を用いることなく遊技媒体を揚送装置に流出させることが出来るとともに、簡単な構成で、遊技媒体を複数の貯留領域それぞれに導くことが出来る。
【００１０】
本発明の遊技島台は、前記誘導樋が遊技島台に設けられる遊技媒体計数装置に連設されており、前記遊技媒体貯留部には前記遊技媒体計数装置により計数された遊技媒体が流入されるように構成されていることが好ましい。
このようにすれば、遊技媒体計数装置により計数された遊技媒体を効率よく貯留することが出来る。
【００１１】
本発明の遊技島台は、前記誘導樋は、遊技媒体が前記遊技媒体貯留部における上流側の貯留領域から優先して貯留されるように構成されていることが好ましい。
このようにすれば、遊技媒体貯留部内に貯留された遊技媒体の負荷が揚送装置等に長時間加わることを回避することが出来る。
【００１３】
本発明の遊技島台は、前記誘導樋は、前記各貯留領域における上流側から下流側に向けて延びるように設けられているとともに、該誘導樋には、前記各貯留領域に遊技媒体を流出させるための流出部が複数設けられており、遊技媒体を前記各貯留領域における下流側から優先して貯留させる構造となっていることが好ましい。
このようにすれば、遊技媒体を複数の貯留領域それぞれに効率よく貯留することが出来る。
【００１４】
本発明の遊技島台は、前記誘導樋が、少なくとも底板と、該底板の両端に連設される側板とから構成されており、前記流出部が、前記底板と前記側板とにそれぞれ設けられていることが好ましい。
このようにすれば、簡単な構造で、複数の貯留領域それぞれに遊技媒体を効率よく貯留することが出来る。
【００１５】
本発明の遊技島台は、前記仕切部材は、下方に向かって前記揚送装置側に傾斜するように設けられていることが好ましい。
このようにすれば、間隙における遊技媒体の詰まりの発生を防止することが出来る。
【００１６】
本発明の遊技島台は、前記仕切部材の下端に、前記揚送装置側に向かって傾斜するテーパ面が形成されていることが好ましい。
このようにすれば、間隙における遊技媒体の詰まりの発生を防止することが出来る。
【００１７】
本発明の遊技島台は、前記遊技機から排出される遊技媒体を前記遊技媒体計数装置により計数された遊技媒体よりも優先して前記揚送装置に導く誘導樋が設けられていることが好ましい。
このようにすれば、遊技機から排出される遊技媒体を優先して揚送することが出来る。
【００１８】
本発明の遊技島台は、前記複数の貯留領域のうち、遊技媒体が最後に貯留される貯留領域に遊技媒体を検出する遊技媒体検出手段が複数設けられているとともに、前記複数の遊技媒体検出手段のうち少なくとも１つの遊技媒体検出手段が遊技媒体を検出した場合は前記遊技媒体計数装置への遊技媒体の流入を不可とし、また、前記複数の遊技媒体検出手段のいずれも遊技媒体を検出しない場合は前記遊技媒体計数装置への遊技媒体の流入を可能とする制御部が設けられていることが好ましい。
このようにすれば、遊技媒体貯留部が遊技媒体で満杯になる前に遊技媒体計数装置への遊技媒体の流入が規制されるとともに、遊技媒体貯留部にある程度の遊技媒体を貯留出来る状態になった段階で遊技媒体計数装置への遊技媒体の流入が許可されるため、遊技媒体計数装置にて遊技媒体を計数している途中で遊技媒体の流入が不可となったり、遊技媒体計数装置への遊技媒体の流入が頻繁に不可となるといった事態を回避出来る。
【００１９】
本発明の遊技島台は、前記遊技媒体が最後に貯留される貯留領域を、前記遊技媒体計数装置から最も離れた位置にある貯留領域としたことが好ましい。
このようにすれば、遊技媒体が最後に貯留される貯留領域が遊技媒体で満杯になった状態から、遊技媒体計数装置から前記貯留領域まで延びる誘導樋内が遊技媒体で満たされるまでに時間がかかることになるため、遊技媒体計数装置にて遊技媒体を計数している途中で遊技媒体計数装置への遊技媒体の流入が不可となるといった事態を確実に回避出来る。
【００２０】
【発明の実施の形態】
以下、図面に基づいて本発明の実施形態を説明する。
【００２１】
（実施例）
図１は、本発明が適用された遊技島台１の内部構造を示す断面図であり、該遊技島台１は、その前後面に遊技機であるパチンコ機２と、該パチンコ機２において遊技に使用する遊技媒体であるパチンコ玉の貸出を実施させる玉貸処理機等の遊技用装置と、が複数設置される通常の遊技島である。
【００２２】
遊技島台１の内部略中央上部には、パチンコ玉が貯留される上部タンク３が設けられており、この上部タンク３内に貯留されたパチンコ玉は、遊技島台１内の長手方向の両端部側に向かって下方に傾斜するようにそれぞれ配設される供給樋４に流入されるようになっている。
【００２３】
また、これら図中左右側の供給樋４には、流下するパチンコ玉を各パチンコ機２に供給するための支流樋５が、長手方向の所定間隔おきに配設されており、これら支流樋５に供給されたパチンコ玉は、各パチンコ機２の背面に設けられた玉タンク６に供給されるようになっている。また、各パチンコ機２の裏側には、パチンコ機２より排出されたアウト玉が貯留されるアウト玉タンク８が各パチンコ機２に対応して設けられている。
【００２４】
図中左右側の供給樋４の下流側端部には、例えば営業時間外時等において供給樋４内のパチンコ玉を後述する第１下部タンク９並びに第２下部タンク１１に排出する排出樋７が設けられている。
【００２５】
遊技島台１内の下部には、図１中上部タンク３より左側に配置された複数のパチンコ機２に対応するアウト玉タンク８より排出されたアウト玉が貯留される第１下部タンク９と、図１中上部タンク３より右側に配置された複数のパチンコ機２に対応するアウト玉タンク８より排出されたパチンコ玉、並びに図１中遊技島台１の右側端部に設置された計数装置１０にて計数されたパチンコ玉が貯留される第２下部タンク１１と、が設けられている。
【００２６】
また、これら第１下部タンク９並びに第２下部タンク１１に貯留されたパチンコ玉は、遊技島台１内の略中央部に配設される揚送研磨装置１２の揚送タンク１３内に流出されるようになっており、これら流出されたパチンコ玉は揚送研磨装置１２にて研磨されながら揚送されて上部タンク３に貯留されるようになっている。すなわち、パチンコ玉は遊技島台１内を循環するようになっている。
【００２７】
次いで、遊技島台１の端部に設置された計数装置１０を図２に基づいて説明すると、この計数装置１０には、遊技者が獲得したパチンコ玉が投入される玉投入口３２が設けられており、この玉投入口３２に投入されたパチンコ玉は玉投入口３２の下部に連設された排出路１９を介して、後述する誘導樋としての下部樋１５もしくは上部樋１６に流入されるようになっている。
【００２８】
また、これら玉投入口３２と排出路１９とを繋ぐ流路中には、ソレノイド３３の励磁によって前記流路内に突出される開閉板３４が設けられており、この開閉板３４が閉鎖されることで玉投入口３２から投入されたパチンコの流入が遮断されるようになっているとともに、前記流路の下流側には、玉投入口３２から投入されたパチンコ玉の通過を検出する通過玉検出モジュール３５が設けられており、この通過玉検出モジュール３５にてパチンコ玉が検出される毎に計数装置１０の制御を行う制御部（図示略）に対して検出信号が出力され、この検出信号に基づくパチンコ玉の数量が図示しない玉数表示部並びにプリント装置にて外部出力（表示出力並びにプリント出力）されるようになっている。
【００２９】
次いで、前述した第１下部タンク９の構成を図１に基づいて説明すると、この第１下部タンク９は、上面が開口するとともに、揚送研磨装置１２から遊技島台１の端部まで延びる細長の箱状に形成されおり、図１中上部タンク３より左側に配置された複数のパチンコ機２に対応するアウト玉タンク８より排出されたパチンコ玉や排出樋７より排出されたパチンコ玉を貯留することが出来るようになっているとともに、タンクの底面９ａが揚送タンク１３に向かって下方に傾斜するように形成されており、貯留されたパチンコ玉が揚送タンク１３方向に向かって自然流下により揚送タンク１３内に流入されるようになっている。
【００３０】
次いで、前述した第２下部タンク１１の構成を図２〜図５に基づいて説明すると、この第２下部タンク１１は、図２〜図４に示されるように、上面が開口するとともに、揚送研磨装置１２から遊技島台１の端部まで延びる細長の箱状に形成されおり、その底板１１ａは揚送タンク１３に向かって下方に傾斜するように形成されている。そしてこの第２下部タンク１１内には、図２〜図４に示されるように、第２下部タンク１１の長手方向に対して直交する方向を向く仕切板３１、及び仕切板２８がそれぞれ互いに所定距離離間するように設けられており、これら仕切板３１、２８により、第２下部タンク１１の内部が、後述するように主に玉計数装置１０から流入されるパチンコ玉が貯留される第１貯留領域Ｓ１及び第２貯留領域Ｓ２と、これら第１貯留領域Ｓ１及び第２貯留領域Ｓ２からなる計数玉貯留領域Ｓ４から流出されたパチンコ玉とアウト玉とが合流する合流領域Ｓ３とに区画されている。
【００３１】
仕切板３１は、図４に示されるように、その左右端辺が第２下部タンク１１の側板１１ｂの内面に当接され、また、特に図２及び図５（ａ）に示されるように、その下端と第２下部タンク１１の底面１１ａとの間に、パチンコ玉の直径の約２倍程度の高さの間隙５５が形成されるように固設されており、第１貯留領域Ｓ１内のパチンコ玉はこの間隙５５を通過して第２貯留領域Ｓ２内に流入されるようになっている。
【００３２】
また、仕切板３１の下端には、図５（ａ）に示されるように、下方に向かって第２貯留領域Ｓ２側に傾斜するテーパ面３１ａが形成されているため、第１貯留領域Ｓ１内のパチンコ玉が第２貯留領域Ｓ２内にスムーズに流入するようになり、間隙５５において玉詰まり等が発生しにくいようになっている。尚、本実施例では、仕切板３１の下端をテーパ面とすることにより間隙５５における玉詰まり等の発生を抑制するようにしているが、図５（ｂ）に示されるように、仕切板３１’の下部を第２貯留領域Ｓ２側に傾斜させるようにすれば、前述とほぼ同一の効果が得られる。さらに、仕切板３１の下端部に摩擦係数の低い樹脂等を塗布するようにすればより効果的である。
【００３３】
仕切板２８は、その左右端辺が第２下部タンク１１の側板１１ｂの内面に当接され、また、特に図２に示されるように、その下端と第２下部タンク１１の底面１１ａとの間にパチンコ玉が通過可能な所定高さの間隙５６が形成されるように固設されている。そしてこの下部には、間隙５６を閉塞するシャッタ３０を上下に移動可能とする駆動モータ２９が固設されており、このシャッタ３０を開閉することにより計数玉貯留領域Ｓ３内にパチンコ玉を貯留したり、研磨揚送装置１２側に流出させることが出来るようになっている。
【００３４】
第２下部タンク１４の内部上方には、一端が計数装置１０の排出路１９に連設されるとともに他端が仕切板２８まで延びる誘導樋としての下部樋１５が、揚送研磨装置１２に向かって下方に傾斜するように、第２下部タンク１４の長手方向に所定間隔おきに横架される複数の梁２０により支持されている。下部樋１５は縦断面略上向きコ字形をなすとともに、その内部における前記支持板３１の上方位置にはパチンコ玉の流下を阻止するストッパ板２２が設けられており、このストッパ部材２２を中心に、内部が上流側流下領域Ｓ５と下流側流下領域Ｓ６とに区画されている。
【００３５】
そして図２並びに図４に示されるように、下部樋１５内の上流側流下領域Ｓ５における下流側端部、すなわちストッパ板２２の近傍の底面には流出穴２５が形成されているとともに、両側壁には流出孔２７が所定間隔おきに複数形成されており、上流側流下領域Ｓ５内を流下するパチンコ玉が流出穴２５及び流出孔２７を介して第１貯留領域Ｓ１内に排出されるようになっている。
【００３６】
さらに下部樋１５内の下流側流下領域Ｓ６における下流部側端部近傍の底面には流出穴２４が形成されているとともに、その両側壁には流出孔２６が所定間隔に複数形成されており、下流側流下領域Ｓ６内を流下するパチンコ玉が流出穴２４及び流出孔２６を介して第２貯留領域Ｓ２内に排出されるようになっている。
【００３７】
この下部樋１５の上部には、一端が計数装置１０の排出路１９に連設されるとともに、他端がストッパ板２２よりも若干下流側まで延びる縦断面略Ｈ形の上部樋１６が、揚送研磨装置１２に向かって下方に傾斜するように下部樋１５の上部に載置された状態で固設されている。
【００３８】
上部樋１６の下流側端部近傍の底面には、下部樋１５の下流側流下領域Ｓ６内に連通する連通穴２３が形成されており、この連通穴２３を介して上部樋１６内のパチンコ玉が下部樋１５の下流側流下領域Ｓ６に流出されるようになっている。なお、図中に示す１７は上部樋１６の上方開放部を被覆するカバー部材であり、この上流側には排出樋７から流下されるパチンコ玉を流入可能とする穴部が形成されている。また２１は、下部樋１５の下流側の上方開放部を被覆するカバー部材である。
【００３９】
これら上部樋１６及び下部樋１５の左右側には、遊技島台１の端部に配設された複数のパチンコ機２に対応するアウト玉タンク８の下方位置から仕切板２８よりも若干下流側まで延びる側部樋１８、１８が、揚送研磨装置１２に向かって下方に傾斜するように、その内側の上向き片の外面を下部樋１５の側片の外面に当接するとともに、外側の下向き片の外面が第２下部タンク１４の側板内面に当接することによって固設されている。よって、この側部樋１８、１８によりパチンコ機２から排出されるアウト玉は、計数玉貯留領域Ｓ４に貯留されることなく合流領域Ｓ３内に直接流出されるようになっている。
【００４０】
また、第２貯留領域Ｓ２内には、図２に示されるように、主に上部に貯留されているパチンコ玉を検出する玉検出センサ３６並びに下部に貯留されているパチンコ玉を検出する玉検出センサ３７が、互いに第２貯留領域Ｓ２の長手方向に向かって所定距離離間するように設けられており、玉検出センサ３６にてパチンコ玉が検出された場合において検出信号が後述するコントロールユニット５０に出力されるようになっている。
【００４１】
次いで、上部タンク３の構成を図６に基づいて説明すると、この上部タンク３の内部は、その下部に連設される両供給樋４内に連通されている。また、揚送研磨装置１２より上方に延びる揚送樋５７の上部が貫通されており、この揚送樋５７の上端の排出口５７ａより排出されるパチンコ玉が貯留されるようになっている。また、上部タンク３の両側部には、各々上下に向かって傾斜する１組の連結樋３８、３９の一端が上部タンク３の内部と連通するように設けられている。
【００４２】
これら連結樋３８、３９の他端側は、図７に示されるように、隣設される遊技島台１の上部タンク３に連結されており、隣り合う遊技島台１の上部タンク３より供給されるパチンコ玉が連結樋３８を介して流入されるようになっているとともに、連結樋３９の連通部には駆動モータ４０（図８参照）により開閉されるシャッタ４１が設けられており、このシャッタ４１が開放されることで、上部タンク３に貯留されているパチンコ玉が連結樋３９を介して両隣の上部タンク３に供給されるようになっている。
【００４３】
また、図６に示す４２は、上部タンク３内の上部に貯留されるパチンコ玉を検出する玉検出センサであり、４３は下部に貯留されるパチンコ玉を検出する玉検出センサであり、これら玉検出センサ４２、４３にてパチンコ玉が検出されている場合において検出信号が後述するコントロールユニット５０に出力されるようになっている。
【００４４】
次いで、図８のブロック図に示されるように、遊技島台１の内部適所には、遊技島台１の各部の制御を行うコントロールユニット５０が設けられており、このコントロールユニット５０には、上部タンク３に設けられた玉検出センサ４２、４３や第２貯留領域Ｓ２に設けられた玉検出センサ３６、３７が接続され、各玉検出センサ３６、３７、４２、４３より出力される検出信号に基づき、これら上部タンク３並びに第２貯留領域Ｓ２内のパチンコ玉の貯留量を監視するようになっている。
【００４５】
また、コントロールユニット５０には、揚送研磨装置１２の駆動モータ５４や上部タンク３に設けられたシャッタ４１の開閉を行う駆動モータ４０、第２下部タンク１１に設けられたシャッタ３０の開閉を行う駆動モータ２９が接続されており、各玉検出センサ３６、３７、４２、４３に基づく上部タンク３並びに第２貯留領域Ｓ２におけるパチンコ玉の貯留量等に応じて、これら揚送研磨装置１２の駆動や各シャッタ３０、４１の開閉が制御されるようになっている。
【００４６】
また、コントロールユニット５０は、出力ポート５１を介して計数装置１０の制御ユニット（図示略）に接続されており、コントロールユニット５０より閉鎖指示が出力されることで、計数装置１０における開閉板３４がソレノイド３３にて閉鎖され、パチンコ玉の計数が不可とされるようになっているとともに、この状態でコントロールユニット５０から閉鎖を解除する信号が出力されることで、開閉板３４が開放されて再び計数装置１０における計数が可能な状態となる。
【００４７】
また、コントロールユニット５０は、隣設される遊技島台１のコントロールユニット５０と通信部５２並びに通信ケーブル５３を介して接続されており、上部タンク３の玉検出センサ４３においてパチンコ玉が検出されない状態であって、かつ第２貯留領域Ｓ２の玉検出センサ３６、３７においてもパチンコ玉が検出されない状態において、隣設される遊技島台１のコントロールユニット５０に対して玉放出要求を出力するようになっているとともに、隣設される遊技島台１のコントロールユニット５０より玉放出要求を受信した場合には、玉放出要求が出力された側のシャッタ４１を開放し、要求のあった遊技島台１の上部タンク３にパチンコ玉を供給するようになっている。
【００４８】
以下本発明の玉タンクが適用された遊技島台１の第２下部タンク１１におけるパチンコ玉の貯留状況並びに各部の制御状況を図９並びに図１０に基づいて説明する。
【００４９】
まず、図９（ａ）に示されるように、通常時においてシャッタ３０は閉塞された状態とされており、この状態においては、島端の計数装置１０の開閉板３４は開放されてパチンコ玉の計数が可能とされており、第１貯留領域Ｓ１に貯留されているパチンコ玉は少量ずつ第２貯留領域Ｓ２に流出するようになっている。また、アウト玉タンク８から側部樋１８に排出されたパチンコ玉は、合流領域Ｓ３内に逐次流出されるため、第２下部タンク１１内に貯留されるパチンコ玉よりも優先して揚送研磨装置１２により揚送されながら研磨される。
【００５０】
この状態において、図９（ｂ）に示されるように、計数装置１０の玉投入口３２にパチンコ玉が投入されると、パチンコ玉は通過玉検出モジュール３５を通過することにより計数された後、排出路１９の底面に沿うように流下するため、大半のパチンコ玉は下方に位置する下部樋１５の上流側貯留領域Ｓ５内に流入されることになる。そして上流側貯留領域Ｓ５を流下する大半のパチンコ玉は下流側に向かって流下され、流出穴２５から第１貯留領域Ｓ１内下流側に流出して貯留される。つまり、計数玉貯留領域Ｓ４にパチンコ玉を貯留可能な状態においては、計数装置１０により計数されたパチンコ玉は、第２貯留領域Ｓ２よりも上流側の第１貯留領域Ｓ１から優先して貯留されていく。
【００５１】
次いで、図９（ｃ）に示されるように、第１貯留領域Ｓ１の下流側がパチンコ玉で満杯になり流出穴２５が閉塞された状態になると、上流側流下領域Ｓ５内の下流側からパチンコ玉で満杯になっていき、パチンコ玉が側面の流出孔２７から流出されるようになり、第１貯留領域Ｓ１内が下流側から上流側に向かって徐々にパチンコ玉で満杯になっていく。
【００５２】
このように、下流側に向かって下方に傾斜するように設けられた下部樋１５の上流側流下領域Ｓ５の最下流位置に流出穴２５が設けられるとともに、側壁に流出孔２７が長手方向に所定間隔おきに形成されていることで、第１貯留領域Ｓ１内にパチンコ玉がほぼ均等に貯留されることになる。
【００５３】
次いで、図９（ｄ）に示されるように、第１貯留領域Ｓ１及び上流側流下領域Ｓ５全域がパチンコ玉で満杯になった状態において、遊技者による計数装置１０へのパチンコ玉の投入がなされた場合、排出路１９に流入されるパチンコ玉は上部樋１６内に流入されることになる。そして上部樋１６内に流入されたパチンコ玉は、連通穴２３を介して下部樋１５の下流側流下領域Ｓ６内に流出されるとともに、この下流側流下領域Ｓ６内を流下し、主に流出穴２４から流出されて第２貯留領域Ｓ２内下流側に貯留されることになる。つまり、第１貯留領域Ｓ１全域がパチンコ玉で満杯になった状態において排出路１９に流入されるパチンコ玉はオーバーフローして上部樋１６内に流入され、下流側の第２貯留領域Ｓ２内に貯留されることになる。
【００５４】
次いで、図１０（ａ）に示されるように、第２貯留領域Ｓ２の下流側がパチンコ玉で満杯になって流出穴２４がパチンコ玉で閉塞された状態になると、下部樋１５の下流側流下領域Ｓ６内の下流側からパチンコ玉で満杯になっていき、パチンコ玉が側面の流出孔２７から流出されるようになり、第２貯留領域Ｓ２内が下流側から上流側に向かって徐々にパチンコ玉で満杯になっていく。
【００５５】
このように、下流側に向かって下方に傾斜するように設けられた下部樋１５の下流側流下領域Ｓ６の最下流位置の底板に流出穴２４が設けられるとともに、側板に流出孔２６が長手方向に所定間隔おきに形成されていることで、第２貯留領域Ｓ２内にパチンコ玉がほぼ均等に貯留されることになる。
【００５６】
そして第２貯留領域Ｓ２内の上流側までパチンコ玉で満杯になって玉検出センサ３６においてパチンコ玉が検出された場合、コントロールユニット５０は、まず計数装置１０に対して閉鎖指示を出力するようになっており、これにより図１０（ｂ）に示されるように、計数装置１０における開閉板３４がソレノイド３３にて閉鎖され、パチンコ玉の計数が不可の状態となる。
【００５７】
なお、本実施例においては、玉検出センサ３６においてパチンコ玉が検出された場合、コントロールユニット５０は上部タンク３の貯留状況に関わりなく計数装置１０に対して閉鎖指示を出力するようになっているが、例えば玉検出センサ３６においてパチンコ玉が検出された際に上部タンク３の貯留状況に余裕がある場合（玉検出センサ４２においてパチンコ玉の検出がない場合）、コントロールユニット５０は、計数装置１０に対して閉鎖指示を出力せずに駆動モータ２９を駆動してシャッタ３０を開放し、第２貯留領域Ｓ２内に貯留されたパチンコ玉を合流領域Ｓ３に流出させるようにして、計数装置１０へのパチンコ玉の投入を不可としないようにすることも可能である。
【００５８】
また、上部タンク３の貯留状況に余裕がない場合（玉検出センサ４２においてパチンコ玉が検出されている場合）においては計数装置１０に対して閉鎖指示を出力するようにしてもよいが、前述したように隣接する遊技島台に上部タンク３内のパチンコ玉を排出させ、強制的に上部タンク３内へのパチンコ玉の貯留を可能とするようにしてもよい。このようにすれば、計数装置１０へのパチンコ玉の投入が頻繁に不可となることがない。
【００５９】
なお、計数装置１０がコントロールユニット５０からの閉鎖指示信号を受信した時点で計数が実行されている場合は、１回の計数が終了するまで待機した後に開閉板３４を閉鎖することになる。すなわち、計数途中で開閉板３４が閉鎖されて計数が中断されることがないようになっている。よって、遊技媒体検出手段としての玉検出センサ３６が貯留領域Ｓ１よりも計数装置１０から離れている貯留領域Ｓ２内に設けられることにより、計数装置１０から貯留領域Ｓ２までの誘導樋（上部樋１６、下部樋１７）の距離が長くなり、パチンコ玉の貯留領域が増加するため、玉検出センサ３６によりパチンコ玉が検出された時点から開閉板３４を閉鎖されるまでに時間がかかる場合でもパチンコ玉が溢れることがない。
【００６０】
また、計数装置１０における計数が不可の状態となった後に上部タンク３内がパチンコ玉を貯留出来る状態となった場合（玉検出センサ４２においてパチンコ玉が検出されなくなった場合）、コントロールユニット５０は、図１０（ｃ）に示されるように、駆動モータ２９を駆動してシャッタ３０を開放し、第２貯留領域Ｓ２内に貯留されたパチンコ玉を合流領域Ｓ３に流出させて揚送タンク１３に供給させる。
【００６１】
そして玉検出センサ３６、３７にてパチンコ玉の検出がなされなくなった場合において計数装置１０に対して閉鎖解除を出力するようになっており、これにより計数装置１０においては開閉板３４を開放し、再びパチンコ玉の計数が可能な状態となる。
【００６２】
また、図１０（ｄ）に示されるように、第２貯留領域Ｓ２内のパチンコ玉が合流領域Ｓ３に流出され、玉検出センサ３６、３７にてパチンコ玉が検出されなくなった場合、コントロールユニット５０は駆動モータ２９を駆動させてシャッタ３０を閉塞し、再び玉計数貯留領域Ｓ４内にパチンコ玉を貯留出来る状態とする。なお、図中では第１貯留領域Ｓ１内がパチンコ玉で満杯な状態においてシャッタ３０が閉塞されているが、第１貯留領域Ｓ１内の全てのパチンコ玉が流出された後に閉塞してもよく、すなわち、上部タンク３の貯留状況に応じて開閉操作がなされるのである。
【００６３】
以上説明したように、本発明の遊技島台１にあっては、第２下部タンク１１は、底面１１ａが研磨揚送装置１２側に向かって下方に傾斜するように形成されており、また、内部には、前記底面１１ａとの間にパチンコ玉が通過可能な間隙５５を形成するように設けられた仕切部材３１、２８により複数の貯留領域Ｓ１、Ｓ２、Ｓ３が形成されており、特に計数装置１０に連設する誘導樋１５、１６が、計数されたパチンコ玉が所定の貯留領域に貯留出来なくなった場合、他の貯留領域に導かれるように構成されているため、すなわち、パチンコ玉は第１貯留領域Ｓ１、第２貯留領域Ｓ２の順に順次貯留されていくことになるため、第２下部タンク１１の長手方向にわたって、計数装置１０により計数されたパチンコ玉が大きく偏って貯留されることがない。また、各第１貯留領域Ｓ１、第２貯留領域Ｓ２に貯留されたパチンコ玉は間隙５５、５６を介して自然流下によって研磨揚送装置１２に流出されるため、高価な装置等を用いることなくパチンコ玉を研磨揚送装置１２に流出させて遊技島台１内を循環させることが出来る。
【００６４】
また、第２下部タンク１１内に仕切板３１、２８を設けて第２下部タンク１１内に長手方向の幅が短寸の複数の貯留領域を形成することで、複雑な機構等を用いてパチンコ玉を各貯留領域内の長手方向にわたって均等に流出させるようにしなくても、パチンコ玉は従来のように各貯留領域内において大きく偏って貯留されることがないため、大量のパチンコ玉を第２下部タンク１１内に効率よく貯留することが出来る。
【００６５】
また、第２下部タンク１１に大量のパチンコ玉が貯留されても、仕切部材３１、２８があることにより、研磨揚送装置１２へのパチンコ玉の流出量が抑制されて研磨揚送装置１２やシャッタ３０等に大きな負荷が加わることがないため、これら装置等の破損を回避出来る。
【００６６】
そして、第２下部タンク１１内に形成される各貯留領域（第１貯留領域Ｓ１、第２貯留領域Ｓ２）それぞれに対応して誘導樋（下部樋１５）が設けられているとともに、特に第１貯留領域Ｓ１に対応するように設けられた誘導樋としての下部樋１５内の上流側流下領域Ｓ５内がオーバーフローすることで下流側流下領域Ｓ６内にパチンコ玉が流出するように構成されているため、簡単な構成でパチンコ玉を各貯留領域Ｓ１、Ｓ２に順次貯留させていくことが出来る。
【００６７】
また、計数装置１０により計数されたパチンコ玉は第２下部タンク１１における上流側の第１貯留領域Ｓ１から優先して流入されるようになっているため、特に第２貯留領域Ｓ２内に大量のパチンコ玉を貯留しておく必要がない場合においては、貯留されているパチンコ玉の負荷がシャッタ３０や研磨揚送装置１２に長時間かかることがないため、装置の破損等を防止出来る。
【００６８】
なお、本実施例においては、計数装置１０により計数されたパチンコ玉は第２下部タンク１１における上流側の第１貯留領域Ｓ１から優先して流入されるようになっているが、本発明にあっては、これら各貯留領域にパチンコ玉を貯留する順番等は特に限定されるものではない。
【００６９】
また、特にパチンコ機２より排出されたパチンコ玉を計数装置１０により計数されたパチンコ玉を貯留する計数玉貯留領域Ｓ４内に貯留することなく、合流領域Ｓ３を介して直接研磨揚送装置１２に流出させるようにすることで、遊技に使用されたパチンコ玉を優先して揚送させて循環させることが出来る。また、特に本実施例のように揚送装置内において研磨させる機能が備わっていることにより、汚れのひどいパチンコ玉から優先して研磨させることが出来る。
【００７０】
また、本実施例の遊技島台１のように計数装置１０により計数されたパチンコ玉を内部に貯留するような場合、特に短期間のうちに計数された大量のパチンコ玉が貯留されることがあるため、第２下部タンク１１を大型化して大量のパチンコ玉を貯留出来るようにすることになるが、本実施例の構成によれば、簡単な機構でパチンコ玉を第２下部タンク１１内に効率よく貯留することが出来るため、第２下部タンク１１の小型化が図れる。
【００７１】
また、第１下部タンク１１内に形成された第１貯留領域Ｓ１、第２貯留領域Ｓ２のうち、計数されたパチンコ玉が最後に貯留される貯留領域（第２貯留領域Ｓ２）にパチンコ玉の貯留量を検出するパチンコ玉検出手段としての玉検出センサ３６、３７が上流側と下流側にそれぞれ設けられており、これら玉検出センサ３６、３７のうち少なくとも１つの玉検出センサ３６、３７がパチンコ玉を検出した場合は開閉板３４が閉塞されて計数装置１０へのパチンコ玉の流入が不可とされるとともに、玉検出センサ３６、３７のいずれもパチンコ玉を検出しない場合は計数装置１０へのパチンコ玉の流入が許容されるようになっているため、第２下部タンク１１がパチンコ玉で満杯になる前にパチンコ玉の流入が規制されるとともに、第２下部タンク１１にある程度のパチンコ玉を貯留出来る状態になった段階でパチンコ玉の流入が許可されることになるため、計数装置１０にてパチンコ玉を計数している途中でパチンコ玉の流入が不可となったり、計数装置１０へのパチンコ玉の流入が頻繁に不可となるといった事態を回避出来る。
【００７２】
特にパチンコ玉が最後に流入される貯留領域が計数装置１０から最も離れた位置にある第２貯留領域Ｓ２とされているため、計数されたパチンコ玉が最後に貯留される貯留領域がパチンコ玉で満杯になった状態から、計数装置１０から第２貯留領域Ｓ２までの間を繋ぐ下部樋１５の下流側領域Ｓ６内及び上部樋１６内がパチンコ玉で満たされるまでに時間がかかることになるため、計数装置１０にてパチンコ玉を計数している途中でパチンコ玉の流入が不可となるといった事態を確実に回避出来る。
【００７３】
なお、本実施例においては、計数されたパチンコ玉が最後に貯留される貯留領域（第２貯留領域Ｓ２）にパチンコ玉の貯留量を検出する遊技媒体検出手段としての玉検出センサ３６、３７が複数設けられていたが、貯留領域内のパチンコ玉の貯留量に応じて計数装置１０へのパチンコ玉の投入を可能または不可とすることが出来れば、遊技媒体検出手段を１個のみ設けたり、あるいは３個以上設けてもよく、その数量や取付位置等は特に実施例に記載したものに限定されるものではない。
【００７４】
また、上記実施例においては、第２下部タンク１１内に第１貯留領域Ｓ１、第２貯留領域Ｓ２、合流領域Ｓ３が形成されるように仕切板２８、３１が設けられていたが、仕切板により形成される貯留領域の数や大きさ等は実施例に記載したものに限定されるものではなく、例えば第２下部タンク１１内に３つ以上の貯留領域が構成されるようにしてもよい。なお、言うまでもなくこのような仕切板を第１下部タンク９に設けてもよい。
【００７５】
また、上記実施例における仕切板２８の下部には、その下部に形成される間隙５６を開閉自在とするシャッタ３０が設けられていたが、本発明にあっては特に設けられていなくてもよい。
【００７６】
さらに、上記実施例においては、パチンコ機２より排出されたパチンコ玉は計数玉貯留領域Ｓ４内に貯留されることなく、合流領域Ｓ３を介して研磨揚送装置１２に流出されるようになっていたが、計数玉貯留領域Ｓ４内に貯留されるようにしてもよい。
【００７７】
前記各実施例における各要素は、本発明に対して以下のように対応している。
【００７８】
本発明の請求項１は、遊技機（パチンコ機２）が設置されるとともに、遊技媒体（パチンコ玉）を貯留することが可能な遊技媒体貯留部（第２下部タンク１１）が下部に設けられ、該遊技媒体貯留部に貯留された遊技媒体が揚送装置（研磨揚送装置１２）により上方に揚送されるように構成されている遊技島台（１）であって、前記遊技媒体貯留部は、底面（１１ａ）が前記揚送装置側に向かって下方に傾斜するように形成されており、また、内部には、前記底面との間に遊技媒体が通過可能な間隙（５５、５６）を形成するように設けられた仕切部材（２８、３１）により複数の貯留領域（第１貯留領域Ｓ１、第２貯留領域Ｓ２）が形成されており、さらに、誘導樋（下部樋１５、上部樋１６）が、前記複数の貯留領域それぞれに対応して設けられ、遊技媒体が前記複数の貯留領域それぞれに導かれるようになっており、遊技媒体が所定の貯留領域に貯留出来なくなった場合、他の貯留領域に貯留されるように構成されている。
【００７９】
本発明の請求項２は、前記誘導樋（下部樋１５、上部樋１６）が遊技島台（１）に設けられる遊技媒体計数装置（研磨揚送装置１２）に連設されており、前記遊技媒体貯留部（第２下部タンク１１）には前記遊技媒体計数装置（計数装置１０）により計数された遊技媒体（パチンコ玉）が流入されるように構成されている。
【００８０】
本発明の請求項３は、前記誘導樋（下部樋１５、上部樋１６）は、遊技媒体（パチンコ玉）が前記遊技媒体貯留部（第２下部タンク１１）における上流側の貯留領域（第１貯留領域Ｓ１）から優先して貯留されるように構成されている。
【００８２】
本発明の請求項４は、前記誘導樋（下部樋１５、上部樋１６）は、前記各貯留領域（第１貯留領域Ｓ１、第２貯留領域Ｓ２）における上流側から下流側に向けて延びるように設けられているとともに、該誘導樋には、前記各貯留領域に遊技媒体（パチンコ玉）を流出させるための流出部（流出穴２４、２５、流出孔２６、２７）が複数設けられており、遊技媒体を前記各貯留領域における下流側から優先して貯留させる構造となっている。
【００８３】
本発明の請求項５は、前記誘導樋（下部樋１５、上部樋１６）が、少なくとも底板と、該底板の両端に連設される側板とから構成されており、前記流出部（流出穴２４、２５、流出孔２６、２７）が、前記底板と前記側板とにそれぞれ設けられている。
【００８４】
本発明の請求項６は、前記仕切部材（２８、３１）は、下方に向かって前記揚送装置側に傾斜するように設けられている。
【００８５】
本発明の請求項７は、前記仕切部材（２８、３１）の下端に、前記揚送装置側に向かって傾斜するテーパ面（３１ａ）が形成されている。
【００８６】
本発明の請求項８は、前記遊技機（パチンコ機２）から排出される遊技媒体（パチンコ玉）を前記遊技媒体計数装置（計数装置１０）により計数された遊技媒体よりも優先して前記揚送装置（研磨揚送装置１２）に導く誘導樋（側部樋１８）が設けられている。
【００８７】
本発明の請求項９は、前記複数の貯留領域（第１貯留領域Ｓ１、第２貯留領域Ｓ２）のうち、遊技媒体（パチンコ玉）が最後に貯留される貯留領域（第２貯留領域Ｓ２）に遊技媒体を検出する遊技媒体検出手段（玉検出センサ３６、３７）が複数設けられているとともに、前記複数の遊技媒体検出手段のうち少なくとも１つの遊技媒体検出手段が遊技媒体を検出した場合は前記遊技媒体計数装置（研磨揚送装置１２）への遊技媒体の流入を不可とし、また、前記複数の遊技媒体検出手段のいずれも遊技媒体を検出しない場合は前記遊技媒体計数装置への遊技媒体の流入を可能とする制御部（コントロールユニット５０）が設けられている。
【００８８】
本発明の請求項１０は、前記遊技媒体（パチンコ玉）が最後に貯留される貯留領域（第２貯留領域Ｓ２）を、前記遊技媒体計数装置（研磨揚送装置１２）から最も離れた位置にある貯留領域とした。
【００８９】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００９０】
また上記実施例においては、遊技機として遊技媒体であるパチンコ玉が外部に払い出される通常のパチンコ機２を用いているが、本発明はこれら通常のパチンコ機のみならず、遊技媒体としてパチンコ玉を用いて遊技を行うスロットマシン等としても良く、遊技媒体として球状の媒体を使用するものであれば、これら遊技機が限定されるものではない。
【００９１】
【発明の効果】
本発明は次の効果を奏する。
【００９２】
（ａ）請求項１の発明によれば、遊技媒体は遊技媒体貯留部内に形成される複数の貯留領域に順次貯留されていくため、遊技媒体貯留部内の長手方向にわたって遊技媒体が偏って貯留されることがないので、効率よく貯留することが出来るとともに、各貯留領域に貯留された遊技媒体は間隙を介して自然流下によって揚送装置に流出されるため、高価な装置等を用いることなく遊技媒体を揚送装置に流出させることが出来るとともに、簡単な構成で、遊技媒体を複数の貯留領域それぞれに導くことが出来る。
【００９３】
（ｂ）請求項２の発明によれば、遊技媒体計数装置により計数された遊技媒体を効率よく貯留することが出来る。
【００９４】
（ｃ）請求項３の発明によれば、遊技媒体貯留部内に貯留された遊技媒体の負荷が揚送装置等に長時間加わることを回避することが出来る。
【００９６】
（ｄ）請求項４の発明によれば、遊技媒体を複数の貯留領域それぞれに効率よく貯留することが出来る。
【００９７】
（ｅ）請求項５の発明によれば、簡単な構造で、複数の貯留領域それぞれに遊技媒体を効率よく貯留することが出来る。
【００９８】
（ｆ）請求項６の発明によれば、間隙における遊技媒体の詰まりの発生を防止することが出来る。
【００９９】
（ｇ）請求項７の発明によれば、間隙における遊技媒体の詰まりの発生を防止することが出来る。
【０１００】
（ｈ）請求項８の発明によれば、遊技機から排出される遊技媒体を優先して揚送することが出来る。
【０１０１】
（ｉ）請求項９の発明によれば、遊技媒体貯留部が遊技媒体で満杯になる前に遊技媒体計数装置への遊技媒体の流入が規制されるとともに、遊技媒体貯留部にある程度の遊技媒体を貯留出来る状態になった段階で遊技媒体計数装置への遊技媒体の流入が許可されるため、遊技媒体計数装置にて遊技媒体を計数している途中で遊技媒体の流入が不可となったり、遊技媒体計数装置への遊技媒体の流入が頻繁に不可となるといった事態を回避出来る。
【０１０２】
（ｊ）請求項１０の発明によれば、遊技媒体が最後に貯留される貯留領域が遊技媒体で満杯になった状態から、遊技媒体計数装置から前記貯留領域まで延びる誘導樋内が遊技媒体で満たされるまでに時間がかかることになるため、遊技媒体計数装置にて遊技媒体を計数している途中で遊技媒体計数装置への遊技媒体の流入が不可となるといった事態を確実に回避出来る。
【図面の簡単な説明】
【図１】本発明の実施例において用いた遊技島台の内部構造を示す断面図である。
【図２】本発明の実施例における遊技島の内部に設けられた第２下部タンクの構造を示す断面図である。
【図３】図２おけるＡ−Ａ断面図である。
【図４】図２に示す第２下部タンクの構造を示す一部破断斜視図である。
【図５】（ａ）は、図２に示す第２下部タンクにおける仕切板の構成を示す拡大断面図であり、（ｂ）は、仕切板の変形例を示す拡大断面図ある。
【図６】図１に示す上部タンクの構成を示す一部破断図である。
【図７】図１に示す遊技島が隣設配置された際の遊技島同士の接続状況を示す上面図である。
【図８】図１に示す遊技島のコントロールユニットと各部の接続状況を示すブロック図である。
【図９】（ａ）〜（ｄ）は、図２に示す第２下部タンクにおけるパチンコ玉の貯留状況を示す断面図である。
【図１０】（ａ）〜（ｄ）は、図２に示す第２下部タンクにおけるパチンコ玉の貯留状況を示す断面図である。
【図１１】従来例としての遊技島台の内部構造を示す断面図である。
【符号の説明】
１        遊技島台
２        パチンコ機
３        上部タンク
４        供給樋
５        支流樋
６        玉タンク
７        排出樋
８        アウト玉タンク
９        第１下部タンク
１０      計数装置
１１      第２下部タンク
１２      揚送研磨装置
１３      揚送タンク
１５      下部樋
１６      上部樋
１７      カバー部材
１８      側部樋
１９      排出路
２０      梁
２１      カバー部材
２２      ストッパ板
２３      連通穴
２４      流出穴
２５      流出穴
２６      流出孔
２７      流出孔
２８      遮蔽板
２９      駆動モータ
３０      シャッタ
３１      仕切板
３２      玉投入口
３３      ソレノイド
３４      開閉板
３５      通過玉検出モジュール
３６      玉検出センサ
３７      玉検出センサ
３８      連結樋
３９      連結樋
４０      駆動モータ
４１      シャッタ
４２      玉検出センサ
４３      玉検出センサ
５０      コントロールユニット
５１      出力ポート
５２      通信部
５３      通信ケーブル
５４      駆動モータ
５５、５６  間隙
５７      揚送樋
５７ａ    排出口
Ｓ１      第１貯留領域
Ｓ２      第２貯留領域
Ｓ３      合流領域
Ｓ４      計数玉貯留領域
Ｓ５      上流側流下領域
Ｓ６      下流側流下領域
【図１】
0004381597.tif 000002
【図２】
0004381597.tif 000003
【図３】
0004381597.tif 000004
【図４】
0004381597.tif 000005
【図５】
0004381597.tif 000006
【図６】
0004381597.tif 000007
【図７】
0004381597.tif 000008
【図８】
0004381597.tif 000009
【図９】
0004381597.tif 000010
【図１０】
0004381597.tif 000011
【図１１】
0004381597.tif 000012